(57)【要約】本発明の実施形態は、データ伝送の方法、装置およびシステムを開示し、通信分野に適用され、データ伝送効率を向上させ、時間遅延を低減することができる。本方法は、送信装置が、送信待ちデータによって使用される時間周波数リソースおよびインターリーバ情報を取得するステップであって、インターリーバ情報がインターリーバと時間同期コードとの対応関係を含み、時間同期コードとインターリーバとの間には１対１の対応関係がある、ステップと、インターリーバ情報に従って、送信待ちデータのために時間同期コードおよびインターリーバを選択するステップと、選択されたインターリーバを用いて送信待ちデータにインターリービング処理を実行し、選択された時間同期コードを有するインターリーブされた送信待ちデータを、時間周波数リソース上で受信装置に送信するステップと、を有する。本発明の実施形態は、データ伝送に適用される。
2016523050.tif 000002
【特許請求の範囲】
【請求項１】
データ伝送の方法であって、
送信装置が、送信待ちデータによって使用される時間周波数リソースおよびインターリーバ情報を取得するステップであって、前記インターリーバ情報はインターリーバと時間同期コードとの対応関係を含み、時間同期コードとインターリーバとの間には１対１の対応関係がある、ステップと、
前記インターリーバ情報に従って、前記送信待ちデータのために時間同期コードおよびインターリーバを選択するステップと、
選択された前記インターリーバを用いて前記送信待ちデータにインターリービング処理を実行し、選択された前記時間同期コードを有するインターリーブされた前記送信待ちデータを、前記時間周波数リソース上で受信装置に送信するステップと、
を有する方法。
【請求項２】
送信装置が送信待ちデータによって使用される時間周波数リソースおよびインターリーバ情報を取得する前記ステップは、
前記送信装置が、システムブロードキャストメッセージまたは専用シグナリング通知を用いて、または事前設定に従って、前記送信待ちデータによって使用される前記時間周波数リソースを取得するステップと、
前記送信装置が、システムブロードキャストメッセージまたは専用シグナリング通知を用いて、または事前設定に従って、前記送信待ちデータによって使用される前記インターリーバ情報を取得するステップと、
を含む、請求項１に記載の方法。
【請求項３】
前記インターリーバ情報に従って前記送信待ちデータのために時間同期コードおよびインターリーバを選択する前記ステップは、
前記送信装置の識別情報および前記インターリーバ情報に従って、前記時間同期コードおよび前記インターリーバを選択するステップであって、前記送信装置の前記識別情報は、固有のインターリーバと固有の時間同期コードとに対応する、ステップ、
を含む、請求項１に記載の方法。
【請求項４】
前記送信待ちデータは、前記送信装置の前記識別情報を含む、
請求項３に記載の方法。
【請求項５】
前記識別情報は、前記送信装置のセル無線ネットワーク仮識別（Ｃ−ＲＮＴＩ）と、前記送信装置と前記受信装置が接続を確立する過程で取得されるメディアアクセス制御（ＭＡＣ）アドレスと、前記送信待ちデータの時間情報と、前記送信待ちデータによって使用される固定の時間周波数リソースの識別子とのうち１以上を含む、
請求項３または４に記載の方法。
【請求項６】
前記送信待ちデータは更にガード時間インターバルを含む、
請求項１乃至５のいずれか一項に記載の方法。
【請求項７】
データ伝送の方法であって、
受信装置が、予め構成された時間周波数リソース上で、送信装置によって送信され時間同期コードを有する送信データを受信するステップと、
予め構成されたインターリーバ情報に従って、前記時間同期コードに対応するインターリーバを呼び出して、前記送信データをデインターリーブするステップであって、前記インターリーバ情報はインターリーバと時間同期コードとの対応関係を含み、時間同期コードとインターリーバとの間には１対１の対応関係がある、ステップと、
を有する方法。
【請求項８】
受信装置が予め構成された時間周波数リソース上で、送信装置によって送信されインターリーブされ時間同期コードを有する送信データを受信する前記ステップの前に、当該方法は、
前記受信装置が、システムブロードキャストメッセージまたは専用シグナリング通知を用いて、前記送信装置に割り当てられた時間周波数リソースを前記送信装置に通知するステップと、
前記受信装置が、システムブロードキャストメッセージまたは専用シグナリング通知を用いて、前記インターリーバ情報を前記送信装置に通知するステップと、
を含む、請求項７に記載の方法。
【請求項９】
前記送信データが前記送信装置の識別情報を含むとき、前記送信装置の前記識別情報は、固有のインターリーバと固有の時間同期コードとに対応し、
前記予め構成されたインターリーバ情報に従って前記時間同期コードに対応するインターリーバを呼び出して前記送信データをデインターリーブする前記ステップの後、当該方法は更に、
前記受信装置が、前記送信装置の前記識別情報に従って、前記送信待ちデータに対応する前記送信装置を決定するステップ、
を有する、請求項７に記載の方法。
【請求項１０】
前記識別情報は、前記送信装置のセル無線ネットワーク仮識別（Ｃ−ＲＮＴＩ）と、前記送信装置と前記受信装置が接続を確立する過程で取得されるメディアアクセス制御（ＭＡＣ）アドレスと、前記送信データの時間情報と、前記送信データによって使用される固定の時間周波数リソースの識別子とのうち１以上を含む、
請求項９に記載の方法。
【請求項１１】
前記送信データが更にガード時間インターバルを含むとき、
前記ガード時間インターバルの後に、受信される次の送信データにデインターリービング処理を実行するステップ、
を更に有する、請求項７乃至１０のいずれか一項に記載の方法。
【請求項１２】
送信待ちデータによって使用される時間周波数リソースおよびインターリーバ情報を取得するように構成される取得ユニットであって、前記インターリーバ情報はインターリーバと時間同期コードとの対応関係を含み、時間同期コードとインターリーバとの間には１対１の対応関係がある、取得ユニットと、
前記取得ユニットによって取得された前記インターリーバ情報に従って、前記送信待ちデータのために時間同期コードおよびインターリーバを選択するように構成される構成ユニットと、
前記構成ユニットによって選択された前記インターリーバを用いて前記送信待ちデータにインターリービング処理を実行し、選択された前記時間同期コードを有するインターリーブされた前記送信待ちデータを、前記取得ユニットによって取得された前記時間周波数リソース上で受信装置に送信するように構成される送信ユニットと、
を備える送信装置。
【請求項１３】
前記取得ユニットは特に、
システムブロードキャストメッセージまたは専用シグナリング通知を用いて、または事前設定に従って、前記送信待ちデータによって使用される前記時間周波数リソースを取得するように構成され、
システムブロードキャストメッセージまたは専用シグナリング通知を用いて、または事前設定に従って、前記送信待ちデータによって使用される前記インターリーバ情報を取得するように構成される、
請求項１２に記載の送信装置。
【請求項１４】
前記構成ユニットは特に、前記送信装置の識別情報と前記取得ユニットによって送信された前記インターリーバ情報とに従って、前記時間同期コードおよび前記インターリーバを選択するように構成され、前記送信装置の前記識別情報は、固有のインターリーバと固有の時間同期コードとに対応する、
請求項１２に記載の送信装置。
【請求項１５】
前記送信待ちデータは、前記送信装置の前記識別情報を含む、
請求項１４に記載の送信装置。
【請求項１６】
前記送信装置の前記識別情報は、固有のインターリーバと固有の時間同期コードとに対応し、前記識別情報は、前記送信装置のセル無線ネットワーク仮識別（Ｃ−ＲＮＴＩ）と、前記送信装置と前記受信装置が接続を確立する過程で取得されるメディアアクセス制御（ＭＡＣ）アドレスと、前記送信待ちデータの時間情報と、前記送信待ちデータによって使用される固定の時間周波数リソースの識別子とのうち１以上を含む、
請求項１４または１５に記載の送信装置。
【請求項１７】
前記送信待ちデータは更にガード時間インターバルを含む、
請求項１４乃至１６のいずれか一項に記載の送信装置。
【請求項１８】
予め構成された時間周波数リソース上で、送信装置によって送信され時間同期コードを有する送信データを受信するように構成される受信ユニットと、
予め構成されたインターリーバ情報に従って、前記時間同期コードに対応するインターリーバを呼び出して、前記受信ユニットによって受信された前記送信データをデインターリーブするように構成されるデインターリービングユニットであって、前記インターリーバ情報はインターリーバと時間同期コードとの対応関係を含み、時間同期コードとインターリーバとの間には１対１の対応関係がある、デインターリービングユニットと、
を備える受信装置。
【請求項１９】
前記受信装置は更に送信ユニットを備え、前記送信ユニットは、
システムブロードキャストメッセージまたは専用シグナリング通知を用いて、前記送信装置に割り当てられた時間周波数リソースを前記送信装置に通知するように構成され、
システムブロードキャストメッセージまたは専用シグナリング通知を用いて、前記インターリーバ情報を前記送信装置に通知するように構成される、
請求項１８に記載の受信装置。
【請求項２０】
前記受信装置は更に識別ユニットを備え、前記識別ユニットは、
前記送信データが前記送信装置の識別情報を含むとき、前記送信装置の前記識別情報に従って、前記送信データに対応する前記送信装置を決定するように構成される、
請求項１８に記載の受信装置。
【請求項２１】
前記送信データが更にガード時間インターバルを含むとき、
前記デインターリービングユニットは更に、前記ガード時間インターバルの後に、受信される次の送信データにデインターリービング処理を実行するように構成される、
請求項１８乃至２０のいずれか一項に記載の受信装置。
【請求項２２】
少なくとも１つのプロセッサ、メモリ、送信部およびバスを備える送信装置であって、前記少なくとも１つのプロセッサと、メモリと、送信部とは、前記バスを用いて互いに接続され通信し、前記メモリは、プログラムコードを保存するように構成され、
前記プロセッサは、送信待ちデータによって使用される時間周波数リソースおよびインターリーバ情報を取得するように構成され、前記インターリーバ情報はインターリーバと時間同期コードとの対応関係を含み、時間同期コードとインターリーバとの間には１対１の対応関係があり、
前記プロセッサは、前記インターリーバ情報に従って、前記送信待ちデータのために時間同期コードおよびインターリーバを選択するように構成され、
前記プロセッサは、選択された前記インターリーバを用いて前記送信待ちデータにインターリービング処理を実行し、前記送信部を用いて、選択された前記時間同期コードを有するインターリーブされた前記送信待ちデータを、前記時間周波数リソース上で受信装置に送信するように構成される、
送信装置。
【請求項２３】
前記送信装置は更に、前記バスに接続される受信部を備え、前記プロセッサは特に、
前記受信部によって受信されるシステムブロードキャストメッセージまたは前記受信部によって受信される専用シグナリング通知を用いて、または事前設定に従って、前記送信待ちデータによって使用される前記時間周波数リソースを前記プロセッサに通知するように構成され、
前記受信部によって受信されるシステムブロードキャストメッセージまたは前記受信部によって受信される専用シグナリング通知を用いて、または事前設定に従って、前記送信待ちデータによって使用される前記インターリーバ情報を前記プロセッサに通知するように構成される、
請求項２２に記載の送信装置。
【請求項２４】
前記プロセッサは特に、前記送信装置の識別情報および前記インターリーバ情報に従って、前記時間同期コードおよび前記インターリーバを選択するように構成され、前記送信装置の前記識別情報は、固有のインターリーバと固有の時間同期コードとに対応する、
請求項２２に記載の送信装置。
【請求項２５】
前記送信待ちデータは、前記送信装置の前記識別情報を含む、
請求項２４に記載の送信装置。
【請求項２６】
前記送信装置の前記識別情報は、固有のインターリーバと固有の時間同期コードとに対応し、前記識別情報は、前記送信装置のセル無線ネットワーク仮識別（Ｃ−ＲＮＴＩ）と、前記送信装置と前記受信装置が接続を確立する過程で取得されるメディアアクセス制御（ＭＡＣ）アドレスと、前記送信待ちデータの時間情報と、前記送信待ちデータによって使用される固定の時間周波数リソースの識別子とのうち１以上を含む、
請求項２４または２５に記載の送信装置。
【請求項２７】
前記送信待ちデータは更にガード時間インターバルを含む、
請求項２２乃至２６のいずれか一項に記載の送信装置。
【請求項２８】
少なくとも１つのプロセッサ、メモリ、受信部およびバスを備える受信装置であって、前記少なくとも１つのプロセッサと、メモリと、受信部とは、前記バスを用いて互いに接続され通信し、前記メモリはプログラムコードを保存するように構成され、
前記受信部は、予め構成された時間周波数リソース上で、送信装置によって送信され時間同期コードを有する送信データを受信するように構成され、
前記プロセッサは、予め構成されたインターリーバ情報に従って、前記時間同期コードに対応するインターリーバを呼び出して、前記送信データをデインターリーブするように構成され、前記インターリーバ情報はインターリーバと時間同期コードとの対応関係を含み、時間同期コードとインターリーバとの間には１対１の対応関係がある、
受信装置。
【請求項２９】
前記受信装置は更に、前記バスに接続される送信部を備え、前記送信部は、
システムブロードキャストメッセージまたは専用シグナリング通知を用いて、前記送信装置に割り当てられた時間周波数リソースを前記送信装置に通知するように構成され、
システムブロードキャストメッセージまたは専用シグナリング通知を用いて、前記インターリーバ情報を前記送信装置に通知するように構成される、
請求項２８に記載の受信装置。
【請求項３０】
前記プロセッサは更に、前記送信データが前記送信装置の識別情報を含むとき、前記送信装置の前記識別情報に従って、前記送信データに対応する前記送信装置を決定するように構成される、
請求項２８に記載の受信装置。
【請求項３１】
前記送信データが更にガード時間インターバルを含むとき、
前記プロセッサは更に、前記ガード時間インターバルの後に、受信される次の送信データにデインターリービング処理を実行するように構成される、
請求項２８乃至３０のいずれか一項に記載の受信装置。
【請求項３２】
請求項１２乃至１７のいずれか一項に記載の送信装置と請求項１８乃至２１のいずれか一項に記載の受信装置とを備えるか、または、
請求項２２乃至２７のいずれか一項に記載の送信装置と請求項２８乃至３１のいずれか一項の受信装置とを備える、
データ伝送システム。
【発明の詳細な説明】
【技術分野】
【０００１】
本発明は通信分野に関し、特に、データ伝送の方法、装置およびシステムに関する。
【背景技術】
【０００２】
現在のＬＴＥ（Long  Term  Evolution、ロング・ターム・エボリューション）では、接続に基づく方式でデータが伝送される。従来技術では、Ｍ２Ｍ（Machine  to  Machine、マシン同士）に関するスモールデータパケットについて、毎回リンクが確立され同期が完了した後にのみデータが送信される必要がある。すなわち、データが送信される前に、データを交換するデバイスは最初にリンクを確立してから、データ伝送を開始する必要がある。このプロセスは、１５個のシグナリングと１つのデータパケットを含む情報のインタラクションを伴う。
【０００３】
上記のデータ伝送プロセスでは、従来技術では、データ伝送の準備プロセスにおいて（また、リンクを確立する同期処理プロセスにおいて）、大量のシグナリングインタラクションが必要となる。したがって、従来技術は、膨大なデバイスがスモールデータパケットを送信する場合には適さず、伝送効率が低く遅延が深刻であるという問題がある。
【発明の概要】
【０００４】
本発明の実施形態は、オーバーヘッドシグナリングを低減し、データ伝送効率を向上させ、時間遅延を低減することのできるデータ伝送の方法、装置およびシステムを提供する。
【０００５】
上記目的を達成するために、本発明の実施形態において以下の技術的解決策が採用される。
【０００６】
一態様によれば、データ伝送の方法が提供される。当該方法は、
送信装置が、送信待ちデータによって使用される時間周波数リソースおよびインターリーバ情報を取得するステップであって、インターリーバ情報はインターリーバと時間同期コードとの対応関係を含み、時間同期コードとインターリーバとの間には１対１の対応関係がある、ステップと、
前記インターリーバ情報に従って、前記送信待ちデータのために時間同期コードおよびインターリーバを選択するステップと、
選択された前記インターリーバを用いて前記送信待ちデータにインターリービング処理を実行し、選択された前記時間同期コードを有するインターリーブされた前記送信待ちデータを、前記時間周波数リソース上で受信装置に送信するステップと、
を有する。
【０００７】
第１の可能な実施方式では、第１の態様に関して、送信装置が、送信待ちデータによって使用される時間周波数リソースと全ての利用可能なインターリーバについての情報とを取得する前記ステップは、
前記送信装置が、システムブロードキャストメッセージまたは専用シグナリング通知を用いて、または事前設定に従って、前記送信待ちデータによって使用される前記時間周波数リソースを取得するステップと、
前記送信装置が、システムブロードキャストメッセージまたは専用シグナリング通知を用いて、または事前設定に従って、前記送信待ちデータによって使用される前記インターリーバ情報を取得するステップと、
を含む。
【０００８】
第２の可能な実施方式では、第１の態様に関して、前記前記インターリーバ情報に従って前記送信待ちデータのために時間同期コードおよびインターリーバを選択する前記ステップは、
前記送信装置の識別情報および前記インターリーバ情報に従って、前記時間同期コードおよび前記インターリーバを選択するステップであって、送信装置の識別情報は固有のインターリーバと固有の時間同期コードとに対応する、ステップ、
を含む。
【０００９】
第３の可能な実施方式では、第２の可能な実施方式に関して、送信待ちデータは送信装置の識別情報を含む。
【００１０】
第４の可能な実施方式では、第２または第３の可能な実施方式に関して、識別情報は、送信装置のセル無線ネットワーク仮識別（Ｃ−ＲＮＴＩ）と、送信装置と受信装置が接続を確立する過程で取得されるメディアアクセス制御（ＭＡＣ）アドレスと、送信待ちデータの時間情報と、送信待ちデータによって使用される固定の時間周波数リソースの識別子とのうち１以上を含む。
【００１１】
第５の可能な実施方式では、第１の態様および第１の態様の可能な実施方式のうちいずれか１つに関して、送信待ちデータは更にガード時間インターバルを含む。
【００１２】
第２の態様によれば、データ伝送の方法が提供される。当該方法は、
受信装置が、予め構成された時間周波数リソース上で、送信装置によって送信され時間同期コードを有する送信データを受信するステップと、
予め構成されたインターリーバ情報に従って、時間同期コードに対応するインターリーバを呼び出して、送信データをデインターリーブするステップであって、インターリーバ情報はインターリーバと時間同期コードとの対応関係を含み、時間同期コードとインターリーバとの間には１対１の対応関係がある、ステップと、
を有する。
【００１３】
第１の可能な実施方式では、第２の態様に関して、受信装置が予め構成された時間周波数リソース上で、送信装置によって送信されインターリーブされ時間同期コードを有する送信データを受信するステップの前に、当該方法は、
受信装置が、システムブロードキャストメッセージまたは専用シグナリング通知を用いて、送信装置に割り当てられた時間周波数リソースを送信装置に通知するステップと、  
受信装置が、システムブロードキャストメッセージまたは専用シグナリング通知を用いて、インターリーバ情報を送信装置に通知するステップと、
を有する。
【００１４】
第２の可能な実施方式では、第２の態様に関して、送信待ちデータが送信装置の識別情報を含むとき、送信装置の識別情報は、固有のインターリーバと固有の時間同期コードとに対応し、
予め構成されたインターリーバ情報に従って、時間同期コードに対応するインターリーバを呼び出して送信データをデインターリーブするステップの後に、当該方法は更に、受信装置が、送信装置の識別情報に従って、送信データに対応する送信装置を決定するステップ、を有する。
【００１５】
第３の可能な実施方式では、第２の可能な実施方式に関して、識別情報は、送信装置のセル無線ネットワーク仮識別（Ｃ−ＲＮＴＩ）と、送信装置と受信装置が接続を確立する過程で取得されるメディアアクセス制御（ＭＡＣ）アドレスと、送信データの時間情報と、送信データによって使用される固定の時間周波数リソースの識別子とのうち１以上を含む。
【００１６】
第４の可能な実施方式では、第２の態様および第２の態様の可能な実施方式のうちいずれか１つに関して、送信データが更にガード時間インターバルを含むとき、
当該方法は更に、
ガード時間インターバルの後に、受信される次の送信データにデインターリービング処理を実行するステップ、
を有する。
【００１７】
第３の態様によれば、送信装置が提供される。当該送信装置は、
送信待ちデータによって使用される時間周波数リソースおよびインターリーバ情報を取得するように構成される取得ユニットであって、インターリーバ情報はインターリーバと時間同期コードとの対応関係を含み、時間同期コードとインターリーバとの間には１対１の対応関係がある、取得ユニットと、
取得ユニットによって取得されたインターリーバ情報に従って、送信待ちデータのために時間同期コードおよびインターリーバを選択するように構成される構成ユニットと、
構成ユニットによって選択されたインターリーバを用いて、送信待ちデータにインターリービング処理を実行し、選択された時間同期コードを有するインターリーブされた送信待ちデータを、取得ユニットによって取得された時間周波数リソース上で受信装置に送信するように構成される送信ユニットと、
を備える。
【００１８】
第１の可能な実施方式では、第３の態様に関して、取得ユニットは特に、
システムブロードキャストメッセージまたは専用シグナリング通知を用いて、または事前設定に従って、送信待ちデータによって使用される時間周波数リソースを取得するように構成され、
システムブロードキャストメッセージまたは専用シグナリング通知を用いて、または事前設定に従って、送信待ちデータによって使用されるインターリーバ情報を取得するように構成される。
【００１９】
第２の可能な実施方式では、第３の態様に関して、
構成ユニットは特に、送信装置の識別情報と取得ユニットによって送信されたインターリーバ情報とに従って、時間同期コードおよびインターリーバを選択するように構成され、送信装置の識別情報は、固有のインターリーバと固有の時間同期コードとに対応する。
【００２０】
第３の可能な実施方式では、第２の可能な実施方式に関して、
送信待ちデータは送信装置の識別情報を含む。
【００２１】
第４の可能な実施方式では、第２または第３の可能な実施方式に関して、
識別情報は、送信装置のセル無線ネットワーク仮識別（Ｃ−ＲＮＴＩ）と、送信装置と受信装置が接続を確立する過程で取得されるメディアアクセス制御（ＭＡＣ）アドレスと、送信待ちデータの時間情報と、送信待ちデータによって使用される固定の時間周波数リソースの識別子とのうち１以上を含む。
【００２２】
第５の可能な実施方式では、第３の態様および第３の態様の可能な実施方式のうちいずれか１つに関して、送信待ちデータは更にガード時間インターバルを含む。
【００２３】
第４の態様では、受信装置が提供される。当該受信装置は、
予め構成された時間周波数リソース上で、送信装置によって送信され時間同期コードを有する送信データを受信するように構成される受信ユニットと、
予め構成されたインターリーバ情報に従って、時間同期コードに対応するインターリーバを呼び出して、受信ユニットによって受信された送信データをデインターリーブするように構成されるデインターリービングユニットであって、インターリーバ情報はインターリーバと時間同期コードとの対応関係を含み、時間同期コードとインターリーバとの間には１対１の対応関係がある、デインターリービングユニットと、
を備える。
【００２４】
第１の可能な実施方式では、第４の態様に関して、受信装置は更に送信ユニットを備える。送信ユニットは、システムブロードキャストメッセージまたは専用シグナリング通知を用いて、送信装置に割り当てられた時間周波数リソースを送信装置に通知するように構成され、
システムブロードキャストメッセージまたは専用シグナリング通知を用いて、インターリーバ情報を送信装置に通知するように構成される。
【００２５】
第２の可能な実施方式では、第４の態様に関して、受信装置は更に識別ユニットを備える。識別ユニットは、
送信データが送信装置の識別情報を含むとき、送信装置の識別情報に従って、送信データに対応する送信装置を決定するように構成される。
【００２６】
第３の可能な実施方式では、第４の態様および第４の態様の可能な実施方式のうちいずれか１つに関して、送信データが更にガード時間インターバルを含むとき、
デインターリービングユニットは更に、ガード時間インターバルの後に、受信される次の送信データにデインターリービング処理を実行するように構成される。
【００２７】
第５の態様によれば、少なくとも１つのプロセッサ、メモリ、送信部およびバスを備える送信装置が提供される。少なくとも１つのプロセッサと、メモリと、送信部とは、バスを用いて互いに接続され通信し、メモリは、プログラムコードを保存するように構成され、
プロセッサは、送信待ちデータによって使用される時間周波数リソースおよびインターリーバ情報を取得するように構成され、インターリーバ情報はインターリーバと時間同期コードとの対応関係を含み、時間同期コードとインターリーバとの間には１対１の対応関係があり、
プロセッサは、インターリーバ情報に従って、送信待ちデータのために時間同期コードおよびインターリーバを選択するように構成され、
プロセッサは、選択されたインターリーバを用いて送信待ちデータにインターリービング処理を実行し、送信部を用いて、選択された時間同期コードを有するインターリーブされた送信待ちデータを、時間周波数リソース上で受信装置に送信するように構成される。
【００２８】
第１の可能な実施方式では、第５の態様に関して、送信装置は更に、バスに接続される受信部を備える。プロセッサは特に、
受信部によって受信されるシステムブロードキャストメッセージまたは受信部によって受信される専用シグナリング通知を用いて、またはプロセッサの事前設定に従って、送信待ちデータによって使用される時間周波数リソースを取得するように構成され、
受信部によって受信されるシステムブロードキャストメッセージまたは受信部によって受信される専用シグナリング通知を用いて、またはプロセッサの事前設定に従って、送信待ちデータによって使用されるインターリーバ情報を取得するように構成される。
【００２９】
第２の可能な実施方式では、第５の態様に関して、
プロセッサは特に、送信装置の識別情報およびインターリーバ情報に従って、時間同期コードおよびインターリーバを選択するように構成され、送信装置の識別情報は、固有のインターリーバと固有の時間同期コードとに対応する。
【００３０】
第３の可能な実施方式では、第２の可能な実施方式に関して、送信待ちデータは送信装置の識別情報を含む。
【００３１】
第４の可能な実施方式では、第２または第３の可能な実施方式に関して、
識別情報は、送信装置のセル無線ネットワーク仮識別（Ｃ−ＲＮＴＩ）と、送信装置と受信装置が接続を確立する過程で取得されるメディアアクセス制御（ＭＡＣ）アドレスと、送信待ちデータの時間情報と、送信待ちデータによって使用される固定の時間周波数リソースの識別子とのうち１以上を含む。
【００３２】
第５の可能な実施方式では、第５の態様および第５の態様の可能な実施方式のうちいずれか１つに関して、送信待ちデータは更にガード時間インターバルを含む。
【００３３】
第６の態様によれば、少なくとも１つのプロセッサ、メモリ、受信部およびバスを備える受信装置が提供される。少なくとも１つのプロセッサと、メモリと、受信部とは、バスを用いて互いに接続され通信し、メモリはプログラムコードを保存するように構成され、
受信部は、予め構成された時間周波数リソース上で、送信装置によって送信され時間同期コードを有する送信データを受信するように構成され、
プロセッサは、予め構成されたインターリーバ情報に従って、時間同期コードに対応するインターリーバを呼び出して、送信データをデインターリーブするように構成され、インターリーバ情報はインターリーバと時間同期コードとの対応関係を含み、時間同期コードとインターリーバとの間には１対１の対応関係がある。
【００３４】
第１の可能な実施方式では、第６の態様に関して、受信装置は更に、バスに接続される送信部を備える。送信部は、
システムブロードキャストメッセージまたは専用シグナリング通知を用いて、送信装置に割り当てられた時間周波数リソースを送信装置に通知するように構成され、
システムブロードキャストメッセージまたは専用シグナリング通知を用いて、インターリーバ情報を送信装置に通知するように構成される。
【００３５】
第２の可能な実施方式では、第６の態様に関して、プロセッサは更に、送信データが送信装置の識別情報を含むとき、送信装置の識別情報に従って、送信待ちデータに対応する送信装置を決定するように構成される。
【００３６】
第３の可能な実施方式では、第６の態様および第６の態様の可能な実施方式のうちいずれか１つに関して、送信データが更にガード時間インターバルを含むとき、
プロセッサは更に、ガード時間インターバルの後に、受信される次の送信データにデインターリービング処理を実行するように構成される。
【００３７】
第７の態様によれば、上記の送信装置のうちいずれか１つと上記の受信装置のうちいずれか１つとを備えるデータ伝送システムが提供される。
【００３８】
本発明の実施形態におけるデータ伝送の方法、装置およびシステムでは、送信待ちデータのための時間同期コードと対応するインターリーバを選択することにより、送信待ちデータが送信される。各データ伝送プロセスにおいて装置間のリンク同期を確立するために、最初にリソースをリクエストする必要がない。このように、承認のない方式でデータを送信し、効果的にシグナリングオーバーヘッドを低減し、伝送効率を向上させ、時間遅延を低減する。
【図面の簡単な説明】
【００３９】
本発明の実施形態または従来技術の技術的解決策をより明確に説明するために、以下、の実施形態または従来技術の説明に必要な添付の図面を簡単に紹介する。当然ながら、以下の説明において、添付の図面は本発明のいくつかの実施形態を示すものに過ぎない。当業者であれば、創意工夫なしに、これらの添付の図面から他の図面を更に導出できるであろう。
【図１】本発明の実施形態に係るデータ伝送の方法の概略フローチャートである。
【図２】本発明の実施形態に係る別のデータ伝送の方法の概略フローチャートである。
【図３】本発明の別の実施形態に係るデータ伝送の方法の概略フローチャートである。
【図４】本発明の実施形態に係るＩＤＭＡシステムの概略アーキテクチャ図である。
【図５】本発明の実施形態に係る送信装置の概略構造図である。
【図６】本発明の実施形態に係る受信装置の概略構造図である。
【図７】本発明の別の実施形態に係る送信装置の概略構造図である。
【図８】本発明の別の実施形態に係る受信装置の概略構造図である。
【図９】本発明の実施形態に係るデータ伝送システムの概略構造図である。
【発明を実施するための形態】
【００４０】
以下、本発明の実施形態において添付の図面を参照して、本発明の実施形態の技術的解決策を明確且つ完全に説明する。当然ながら、説明される実施形態は、本発明の実施形態一部であって全部ではない。当業者が本発明の実施形態に基づいて創意工夫なく得た他の実施形態は全て、本発明の保護範囲に包含されるものとする。
【００４１】
本発明の実施形態は、多重アクセススキームのデータ伝送フォーマットに適用可能であり、例えば、ＩＤＭＡ（interleave-division  multiple-access、インターリーブ分割多重アクセス）、ＩＤＭＡ＋ＯＦＤＭ（IDMA＋orthogonal  frequency  division  multiplexing、インターリーブ分割多重アクセスおよび直交周波数分割多重）、ＩＤＭＡ＋ＯＦＤＭＡ（IDMA＋Orthogonal  Frequency  Division  multiple  access、インターリーブ分割多重アクセスおよび直交周波数分割多重アクセス）、ＩＤＭＡ＋ＳＣ−ＦＤＭＡ（IDMA＋Single-carrier  Frequency-Division  multiple  access、インターリーブ分割多重アクセスおよびシングルキャリア周波数分割多重アクセス）等、すなわち、ＩＤＭＡや、ＩＤＭＡと別の多重アクセススキームを組み合わせたスキームに適用可能であり、当然ながら本発明の実施形態では限定されない。以下では、ＩＤＭＡ多重アクセススキームを説明のために例として用いる。本発明の実施形態において提供されるデータ伝送の方法は、ＬＴＥのＭ２Ｍに関するスモールデータパケットの伝送に適用可能である。当然ながら、本方法は、ＬＴＥ−ａ等の別のシステムにも適用可能である。ここでは、ＬＴＥに対する適用のみを説明のために例として用いるが、限定としては用いられない。送信装置側では、具体的には図１を参照すると、本方法は以下のステップを有する。
【００４２】
１０１：送信装置が、送信待ちデータによって使用される時間周波数リソースおよびインターリーバ情報を取得する。インターリーバ情報は、インターリーバと時間同期コードとの対応関係を含む。時間同期コードとインターリーバとの間には１対１の対応関係がある。
【００４３】
１０２：送信装置が、インターリーバ情報に従って、送信待ちデータのために時間同期コードおよびインターリーバを選択する。
【００４４】
当然ながら、ここでのインターリーバまたは時間同期コードは、送信装置のためにランダムに構成される。時間同期コードとインターリーバについて、時間同期コードとインターリーバとには１対１の対応関係があるので、ステップ１０２では、送信装置は最初に時間同期コードを構成するか、または最初にインターリーバを構成すると見なすことができる。この２つのどちらかが決定されさえすれば、対応関係に従って他方を決定することができ、したがって、本発明においてここでは限定されない。
【００４５】
１０３：送信装置が、選択されたインターリーバを用いて送信待ちデータにインターリービング処理を実行し、選択された時間同期コードを有するインターリーブされた送信待ちデータを、時間周波数リソース上で受信装置に送信する。
【００４６】
当然ながら、ＩＤＭＡアーキテクチャに従って、ステップ１０３では、汎用符号器（ＥＮＣ、encoder）（汎用符号器は、順方向誤り訂正（ＦＥＣ、Forward  Error  Correction）符号器または拡散器（spreader）であってよく、或いは順方向誤り訂正符号器と拡散器をカスケードすることによって形成されてよい）を用いて送信待ちデータが符号化された後、選択されたインターリーバを用いて、送信待ちデータが受信装置に送信される。ここでの符号化方式は従来技術にあり、具体的には限定されない。当然ながら、符号化方式は、送信装置によって予め設定される符号化方式か、受信装置によって送信される符号化方式であってよく、具体例として、ＱＰＳＫ（Quadrature  Phase  Shift  Keying、四位相偏移変調）符号化、１／３Ｔｕｒｂｏ符号化等が挙げられる。
【００４７】
受信装置側では、図２を参照して、本方法は以下のステップを有する。
【００４８】
２０１：受信装置が、予め構成された時間周波数リソース上で、送信装置によって送信され時間同期コードを有する送信データを受信する。
【００４９】
２０２：受信装置が、予め構成されたインターリーバ情報に従って、時間同期コードに対応するインターリーバを呼び出して、送信データをデインターリーブする。インターリーバ情報はインターリーバと時間同期コードとの対応関係を含み、時間同期コードとインターリーバとの間には１対１の対応関係がある。
【００５０】
本発明の本実施形態において提供されるデータ伝送の方法では、送信待ちデータは、該データのために時間同期コードと対応するインターリーバとを選択することにより、送信される。各データ伝送プロセスにおいて装置間のリンク同期を確立するために、最初にリソースをリクエストする必要がない。このように、承認のない方式でデータを送信するので、効果的にシグナリングオーバーヘッドを低減し、伝送効率を向上させ、時間遅延を低減する。
【００５１】
ＩＤＭＡインターリーブ多重アクセスの多重化技術的解決策を参照して、本発明の実施形態において提供される技術的解決策を後述する。まず、本発明の実施形態は、図３に示されるＩＤＭＡアーキテクチャを提供する。データ送信端の送信装置は、各ユーザーデータ（つまり、送信装置が送信する各データ、すなわち、図中の１番目のユーザー信号〜Ｋ番目のユーザー信号）に対して、汎用符号器（ＥＮＣ）およびインターリーバπｉを用いて、符号化とインターリービング処理を実行し、アクセスチャネルが信号ｒに多重化された後に、各ユーザーデータを受信装置に送信する。データ受信端では、受信装置は基本信号推定器（ＥＳＥ、elementary  signal  estimator）と、デインターリーバπｉ−１の群と、最大事後（ＡＰ、a  posteriori）確率を用いるシングルユーザー復号器（ＤＥＣ、decoder）の群とを有する。各デインターリーバと各復号器は、１人のユーザー（送信装置）に対応するタスクのデインターリーブと復号化を担当する。当然ながら、ここではＩＤＭＡ復号アーキテクチャのみが提供され、上記の実施形態ではＩＤＭＡを組み合わせる他のハイブリッドの多元アクセスアーキテクチャにも言及し、従来技術にもあり、ここでは詳述しない。
【００５２】
上記のアーキテクチャでは、図４を参照すると、本発明の実施形態は具体的には以下の方式で実施される。
【００５３】
３０１：送信装置が、送信待ちデータによって使用される時間周波数リソースおよびインターリーバ情報を取得する。インターリーバ情報はインターリーバと時間同期コードとの対応関係を含み、時間同期コードとインターリーバとの間には１対１の対応関係がある。
【００５４】
任意に、ステップ３０１は特に、送信装置が、システムブロードキャストメッセージまたは専用シグナリング通知を用いて、または事前設定に従って、送信待ちデータによって使用される時間周波数リソースを取得するステップと、送信装置が、システムブロードキャストメッセージまたは専用シグナリング通知を用いて、または事前設定に従って、送信待ちデータによって使用されるインターリーバ情報を取得するステップと、を含む。
【００５５】
具体的には、以下の可能な組合わせが現れる場合が含まれる。
【００５６】
送信装置は、システムブロードキャストメッセージを用いて、送信装置に割り当てられた時間周波数リソースとインターリーバ情報を取得する。
【００５７】
代替として、送信装置は、専用シグナリング通知を受信する。専用シグナリング通知は、送信装置に割り当てられた時間周波数リソースとインターリーバ情報を含む。
【００５８】
代替として、送信装置は、送信装置によって予め構成されたインターリーバ情報を取得し、送信装置によって予め設定された時間周波数リソースから、送信待ちデータによって使用される時間周波数リソースを選択する。
【００５９】
代替として、送信装置は、システムブロードキャストメッセージにおいて、送信装置に割り当てられた時間周波数リソースを取得し、専用シグナリング通知を受信する。専用シグナリング通知は、送信装置に割り当てられたインターリーバ情報を含む。
【００６０】
代替として、送信装置は、システムブロードキャストメッセージにおいて、送信装置に割り当てられたインターリーバ情報を取得し、専用シグナリング通知を受信する。専用シグナリング通知は、送信装置に割り当てられた時間周波数リソースを含む。
【００６１】
代替として、送信装置は、送信装置によって予め構成されたインターリーバ情報を取得し、システムブロードキャストにおいて、送信装置に割り当てられた時間周波数リソースを取得する。
【００６２】
代替として、送信装置は、送信装置により予め設定された時間周波数リソースから、送信待ちデータによって使用される時間周波数リソースを選択し、システムブロードキャストメッセージにおいて、送信装置に割り当てられたインターリーバ情報を取得する。
【００６３】
代替として、送信装置は、送信装置によって予め構成されたインターリーバ情報を取得し、専用シグナリング通知を受信する。専用シグナリング通知は、送信装置に割り当てられたインターリーバ情報を含む。
【００６４】
代替として、送信装置は、送信装置によって予め設定された時間周波数リソースから、送信待ちデータによって使用される時間周波数リソースを選択し、専用シグナリング通知を受信する。専用シグナリング通知は、送信装置に割り当てられたインターリーバ情報を含む。
【００６５】
対応して、受信装置は、システムブロードキャストメッセージまたは専用シグナリング通知を用いて、送信装置に割り当てられた時間周波数リソースを送信装置に通知する。また、受信装置は、システムブロードキャストメッセージまたは専用シグナリング通知を用いて、インターリーバ情報を送信装置に通知する。
【００６６】
この場合、選択された時間周波数リソース上で、時間同期コード＋データの形でデータが送信されてよい。更に任意に、以下の表１を参照すると、送信待ちデータは更にガード時間インターバルを含む。この場合、データは、時間同期コード＋データ＋ガード時間インターバルＧＴの文字の形式で送信されてよい。
【表１】
2016523050.tif 000003
【００６７】
この場合、時間同期コードは、送信装置によってランダムに選択される。データ伝送のガード時間（ＧＴ、ガード時間）の文字は、受信装置側での次のフレームデータの受信に対する干渉を回避するために付加される。
【００６８】
ここで、時間同期コードとインターリーバとの間には１対１の対応関係があるので、時間同期コードとインターリーバとの対応関係は、以下の表２に示すことができる。
【表２】
2016523050.tif 000004
【００６９】
上述のように、表２に反映される対応関係は、インターリーバ情報として、受信装置を用いて、送信装置にブロードキャストされてよく、専用シグナリングを用いて通知されてよく、或いは送信装置側で予め設定されてよい。
【００７０】
３０２：送信装置が、インターリーバ情報に従って、送信待ちデータのために時間同期コードおよびインターリーバを選択する。
【００７１】
当然ながら、ここでのインターリーバまたは時間同期コードは、送信装置のためにランダムに構成される。時間同期コードとインターリーバについて、時間同期コードとインターリーバとの間には１対１の対応関係があるので、ステップ３０２では、送信装置は最初に時間同期コードを構成するか、または最初にインターリーバを構成すると見なすことができる。この２つのどちらかが決定されさえすれば、対応関係に従って他方を決定することができ、したがって、本発明においてここでは限定されない。
【００７２】
任意に、送信待ちデータは送信装置の識別情報を含む。
【００７３】
送信装置の識別情報は、固有のインターリーバと固有の時間同期コードとに対応する。識別情報は、送信装置のセル無線ネットワーク仮識別Ｃ−ＲＮＴＩ（Cell  Radio  Network  Temporary  Identifier）と、送信装置と受信装置とが接続を確立する過程で取得されるメディアアクセス制御ＭＡＣ（Media  Access  Control）アドレスと、送信待ちデータの時間情報（当然ながら、ここでの時間情報は、サブフレーム、無線フレーム、タイムスロット等を含んでよい）と、送信待ちデータによって使用される固定の時間周波数リソースの識別子とのうち１以上を含む。
【００７４】
ステップ３０１に設定された表１に示すデータ送信形式と同様に、受信装置が送信装置と対応する送信装置によって送信されるデータを区別できるようにするために、対応する送信装置の識別情報が送信待ちデータに設定されてよい。識別情報は、受信装置が受信装置を１６ビットに従って識別できるように、送信待ちデータの始めの１６ビットに設定される識別情報であってよい。
【００７５】
このように、送信待ちデータは送信装置の識別情報を含む。送信装置の識別情報は異なり、データ送信プロセスにおいて、各送信装置は送信装置の識別情報に従って、送信装置のために異なる時間同期コードと異なるインターリーバを選択してよい。したがって、信装置が選択したインターリーバおよび時間同期コードの識別子と送信装置の識別情報との間には、１対１の対応関係があることを示す。１つのセルにおいて、送信装置の識別情報は固有であり異なる。したがって、送信端で送信装置の識別情報に従ってインターリーバおよび時間同期コードが選択されるとき、同じセル内の異なる送信装置が異なるインターリーバを用いてデータを送信し、これにより、データ送信中のコリジョンが回避される。当然ながら、任意に、送信待ちデータは送信装置の識別情報を含まなくてもよい。異なる送信装置が異なるインターリーバを選択してデータにインターリービング処理を実行できるように、時間同期コードおよびインターリーバは、送信装置の識別情報に従って送信装置側のみで選択される。このように、データ送信中のコリジョンを効果的に回避することができる。しかしながら、送信待ちデータが送信装置の識別情報を含むと、受信装置が識別子情報に従って受信装置を識別するのに都合がよい。
【００７６】
同様に、送信装置によって選択され得るインターリーバおよび時間同期コードの識別子と、一連の送信装置の識別情報との１対１の対応関係が設定されてもよい。この場合、送信装置のデバイス識別子がｎＩＤであり、デバイス識別子に対応する時間同期コードの識別子がｓであると仮定すると、ｎＩＤとｓとの関係はｓ＝ｎＩＤｍｏｄＭである。式中、Ｍは予め設定された固定値であり、或いは、セル内の利用可能なインターリーバの総数である。Ｍ＝３２であるとき、識別子が５，３７，６９，…である送信装置は全て、ｓ＝５のインターリーバを使用する。更に、受信装置が対応する受信装置を知ることができるように、送信待ちデータにおいて、送信装置のデバイス識別子を含むパラメータが識別情報として設定されてもよい。デバイス識別子がｎＩＤである送信装置のデータにおいて、ｋ＝ｆｌｏｏｒ（ｎＩＤ／Ｍ）となるようにパラメータＫが設定されてよい。ここで、ｆｌｏｏｒ（ｘ）はｘより大きくない最大整数を表す。例えば、デバイス識別子が３７である送信装置について、送信装置のデータはパラメータ“１”（ｋ＝ｆｌｏｏｒ（３７／３２））を含むはずである。このように、受信装置側では、ｓに従って最初に対応するインターリーバが決定されてから、ｋに従って対応する送信装置が決定されてよく、こうしてデータコリジョンが回避される。
【００７７】
３０３：送信装置が、選択されたインターリーバを用いて送信待ちデータにインターリービング処理を実行し、選択された時間同期コードを有するインターリーブされた送信待ちデータを、時間周波数リソース上で受信装置に送信する。
【００７８】
当然ながら、ＩＤＭＡアーキテクチャに従って、ステップ３０３では、汎用符号器（ＥＮＣ）（汎用符号器は、順方向誤り訂正（ＦＥＣ）符号器または拡散器であってよく、或いは順方向誤り訂正符号器と拡散器をカスケードすることによって形成されてよい）を用いて送信待ちデータが符号化された後、選択されたインターリーバを用いて、符号化された信待ちデータがインターリービング処理を受け、受信装置へ送信される。ここでの変調符号化スキームは従来技術にあり、具体的には限定されない。当然ながら、変調符号化スキームは、送信装置によって予め設定される符号化方式か、受信装置によって送信される符号化方式であってよく、具体例として、ＱＰＳＫ符号化、１／３Ｔｕｒｂｏ符号化等が挙げられる。
【００７９】
３０４：受信装置が、予め構成された時間周波数リソース上で、送信装置によって送信され時間同期コードを有する送信データを受信する。
【００８０】
３０５：受信装置が、予め構成されたインターリーバ情報に従って、時間同期コードに対応するインターリーバを呼び出して、送信データをデインターリーブする。インターリーバ情報はインターリーバと時間同期コードとの対応関係を含み、時間同期コードとインターリーバとの間には１対１の対応関係がある。
【００８１】
任意に、送信待ちデータが送信装置の識別情報を含むとき、本方法は更に以下のステップを有する。
【００８２】
３０６：受信装置が、送信装置の識別情報に従って、送信データに対応する送信装置を決定する。
【００８３】
更に任意に、ステップ３０１では表１に示されるデータ形式がガード時間インターバルＧＴの文字を含むので、受信装置は、ガード時間インターバルの後、受信される次の送信データに対してデインターリービング処理を実行する。
【００８４】
本発明の本実施形態において提供されるデータ伝送の方法では、送信待ちデータは、該データのために時間同期コードと対応するインターリーバとを選択することにより、送信される。各データ伝送プロセスにおいて装置間のリンク同期を確立するために、最初にリソースをリクエストする必要がない。このように、承認のない方式でデータを送信するので、効果的にシグナリングオーバーヘッドを低減し、伝送効率を向上させ、時間遅延を低減する。加えて、送信待ちデータが送信装置の識別情報を含む場合、受信装置側では、異なるインターリーバを用いて異なる送信装置のデータを識別することができ、対応するデインターリービング処理が実行され、データ伝送プロセス中にコリジョンが発生する可能性が低減される。
【００８５】
本発明の実施形態は、ＩＤＭＡアーキテクチャまたはＩＤＭＡを用いて形成されるハイブリッドアーキテクチャに基づく送信装置を提供する。送信装置は、上記の方法実施形態で提供されたデータ伝送の方法を実現するように構成される。送信装置は、携帯電話やパームトップコンピューター等のモバイル端末であってよく、パーソナルコンピューターや企業サーバー等の、ネットワークにアクセスする別のクライアントデバイスであってよい。図５を参照すると、送信装置５は、取得ユニット５１、構成ユニット５２および送信ユニット５３を有する。
【００８６】
取得ユニット５１は、送信待ちデータによって使用される時間周波数リソースおよびインターリーバ情報を取得するように構成される。インターリーバ情報はインターリーバと時間同期コードとの対応関係を含み、時間同期コードとインターリーバとの間には１対１の対応関係がある。
【００８７】
任意に、取得ユニット５１は特に、システムブロードキャストメッセージまたは専用シグナリング通知を用いて、または事前設定に従って、送信待ちデータによって使用される時間周波数リソースを取得するように構成され、
システムブロードキャストメッセージまたは専用シグナリング通知を用いて、または事前設定に従って、送信待ちデータによって使用されるインターリーバ情報を取得するように構成される。
【００８８】
構成ユニット５２は、取得ユニット５１によって取得されたインターリーバ情報に従って、送信待ちデータのために時間同期コードおよびインターリーバを選択するように構成される。
【００８９】
任意に、構成ユニット５２は特に、送信装置の識別情報に従って、時間同期コードまたはインターリーバを選択するように構成される。送信装置の識別情報は、固有のインターリーバと固有の時間同期コードとに対応する。識別情報は、送信装置のセル無線ネットワーク仮識別（Ｃ−ＲＮＴＩ）と、送信装置と受信装置が接続を確立する過程で取得されるメディアアクセス制御（ＭＡＣ）アドレスと、送信待ちデータの時間情報と、送信待ちデータによって使用される固定の時間周波数リソースの識別子とのうち１以上を含む。このように、異なる送信装置が異なるインターリーバを選択してデータにインターリービング処理を実行できるように、送信装置側では、送信装置の識別情報に従って時間同期コードまたはインターリーバが選択される。このように、データ送信中のコリジョンを効果的に回避することができる。
送信ユニット５３は、構成ユニット５２によって選択されたインターリーバを用いて送信待ちデータにインターリービング処理を実行し、選択された時間同期コードを有するインターリーブされた送信待ちデータを、取得ユニット５１によって取得された時間周波数リソース上で受信装置に送信するように構成される。
【００９０】
本発明の本実施形態において提供される送信装置では、送信待ちデータは、該データのために時間同期コードと対応するインターリーバとを選択することによって、送信される。各データ伝送プロセスにおいて装置間のリンク同期を確立するために、最初にリソースをリクエストする必要がない。このように、承認のない方式でデータを送信するので、効果的にシグナリングオーバーヘッドを低減し、伝送効率を向上させ、時間遅延を低減する。
【００９１】
更に、送信待ちデータは送信装置の識別情報を含む。このように、受信装置側では、異なるインターリーバを用いて異なる送信装置のデータを識別することができ、対応するデインターリービング処理が実行され、データ伝送プロセス中にコリジョンが発生する可能性が低減される。
【００９２】
任意に、データ伝送のガード時間の文字によって示されるガード時間の後に、受信される次の送信待ちデータに対して受信装置がデインターリービング処理を実行できるように、送信待ちデータは更にデータ伝送のガード時間の文字を含む。次のフレームに対する干渉が回避される。
【００９３】
本発明の実施形態は、ＩＤＭＡまたはＩＤＭＡを用いて形成されるハイブリッドアーキテクチャに基づく受信装置を提供する。受信装置は、上記の方法実施形態で提供されたデータ伝送の方法を実現するように構成される。受信装置は、オペレータによって展開される大型基地局と、閉鎖ユーザーグループの小型ネットワーク送受信ノードとを含む。図６を参照すると、受信装置６は、受信ユニット６１およびデインターリービングユニット６２を有する。
受信ユニット６１は、予め構成された時間周波数リソース上で、送信装置によって送信され時間同期コードを有する送信データを受信するように構成される。
デインターリービングユニット６２は、予め構成されたインターリーバ情報に従って、時間同期コードに対応するインターリーバを呼び出して、受信ユニット６１によって受信された送信データをデインターリーブするように構成される。インターリーバ情報はインターリーバと時間同期コードとの対応関係を含み、時間同期コードとインターリーバとの間には１対１の対応関係がある。
【００９４】
任意に、図６を参照すると、受信装置は更に送信ユニット６０を有する。送信ユニット６０は、システムブロードキャストメッセージまたは専用シグナリング通知を用いて、送信装置に割り当てられた時間周波数リソースを送信装置に通知し、
システムブロードキャストメッセージまたは専用シグナリング通知を用いて、インターリーバ情報を送信装置に通知する。
【００９５】
本発明の本実施形態において提供される受信装置では、送信装置によって送信され、インターリーバと１対１の対応関係にある時間同期コードを有する送信待ちデータが受信される。各データ伝送プロセスにおいて装置間のリンク同期を確立するために、最初に送信装置を用いてリソースをリクエストする必要がない。このように、承認のない方式でデータを送信するので、効果的にシグナリングオーバーヘッドを低減し、伝送効率を向上させ、時間遅延を低減する。
【００９６】
更に、任意に図６を参照すると、受信装置は更に識別ユニット６３を有する。識別ユニット６３は、
送信待ちデータが送信装置の識別情報を含むとき、送信装置の識別情報に従って、送信データに対応する送信装置を決定するように構成される。
【００９７】
このように、受信装置側では、異なるインターリーバを用いて異なる送信装置のデータを識別することができ、対応するデインターリービング処理が実行される。データ伝送中にコリジョンが発生する可能定が低減される。
【００９８】
更に任意に、送信データは更にガード時間インターバルを含む。
デインターリービングユニット６２は更に、ガード時間インターバルの後、受信される次の送信データに対してデインターリービング処理を実行するように構成され、次のフレームに対する干渉が回避される。
【００９９】
本発明の実施形態は、送信装置を提供する。図７を参照すると、送信装置は、少なくとも１つのプロセッサ７１、メモリ７２、送信部７３およびバス７４を有する。少なくとも１つのプロセッサ７１と、メモリ７２と、送信部７３とは、バス７４を用いて互いに接続され通信する。メモリ７２は、プログラムコードを保存するように構成される。
【０１００】
バス７４は、業界標準アーキテクチャ（Industry  Standard  Architecture、略してＩＳＡ）バス、ペリフェラル・コンポーネント・インターコネクト（Peripheral  Component、略してＰＣＩ）バス、ＥＩＳＡ（Extended  Industry  Standard  Architecture）バス等であってよい。バス７４は、アドレスバス、バス、制御バス等に分類されてよい。図７では表現しやすいように太線１本だけで描写されているが、１本のバスや１種類のバスだけが存在することを示すものではない。
【０１０１】
メモリ７２は、実行可能なプログラムコードを保存するように構成される。プログラムコードはコンピューター操作命令を含む。メモリ７２は、高速ＲＡＭメモリを含んでよく、或いは、更に不揮発性メモリ（non-volatile  memory）、例えば少なくとも１つの磁気ディスク記憶装置を含んでよい。
【０１０２】
プロセッサ７１は、中央処理装置（Central  Processing  Unit、略してＣＰＵ）であってよく、或いは特定用途向け集積回路（Application  Specific  Integrated  Circuit、略してＡＳＩＣ）であってよく、或いは、本発明の本実施形態を実施するように構成される１以上の集積回路であってよい。
【０１０３】
送信部７３は主に、本実施形態の送信装置と受信装置との通信を実現するように構成される。
【０１０４】
プロセッサ７１は更に、メモリ７２内のプログラムコードを呼び出して、以下の工程を実行するように構成される。
【０１０５】
プロセッサ７１は、送信待ちデータによって使用される時間周波数リソースおよびインターリーバ情報を取得するように構成される。インターリーバ情報はインターリーバと時間同期コードとの対応関係を含み、時間同期コードとインターリーバとの間には１対１の対応関係がある。
プロセッサ７１は、インターリーバ情報に従って、送信待ちデータのために時間同期コードおよびインターリーバを選択するように構成される。
プロセッサ７１は、選択されたインターリーバを用いて送信待ちデータにインターリービング処理を実行し、送信部７３を用いて、選択された時間同期コードを有するインターリーブされた送信待ちデータを、時間周波数リソース上で受信装置に送信するように構成される。
【０１０６】
本発明の本実施形態において提供される送信装置では、送信待ちデータは、該データのために時間同期コードと対応するインターリーバとを選択することにより、送信される。各データ伝送プロセスにおいて装置間のリンク同期を確立するために、最初にリソースをリクエストする必要がない。このように、承認のない方式でデータを送信するので、効果的にシグナリングオーバーヘッドを低減し、伝送効率を向上させ、時間遅延を低減する。
【０１０７】
任意に、送信装置は更に、バスに接続される受信部７５を有する。プロセッサ７１は特に、
受信部７５によって受信されるシステムブロードキャストメッセージまたは受信部７５によって受信される専用シグナリング通知を用いて、またはプロセッサ７１の事前設定に従って、送信待ちデータによって使用される時間周波数リソースを取得するように構成され、
受信部７５によって受信されるシステムブロードキャストメッセージまたは受信部７５によって受信される専用シグナリング通知を用いて、またはプロセッサ７１の事前設定に従って、送信待ちデータによって使用されるインターリーバ情報を取得するように構成される。
【０１０８】
任意に、プロセッサ７１は特に、送信装置の識別情報およびインターリーバ情報に従って、時間同期コードおよびインターリーバを選択するように構成される。送信装置の識別情報は、固有のインターリーバと、固有の時間同期コードとに対応する。識別情報は、送信装置のセル無線ネットワーク仮識別（Ｃ−ＲＮＴＩ）と、送信装置と受信装置が接続を確立する過程で取得されるメディアアクセス制御（ＭＡＣ）アドレスと、送信待ちデータの時間情報と、送信待ちデータによって使用される固定の時間周波数リソースの識別子とのうち１以上を含む。このように、異なる送信装置が異なるインターリーバを選択してデータにインターリービング処理を実行できるように、送信装置側では、送信装置の識別情報に従って時間同期コードまたはインターリーバが選択される。このように、データ送信中のコリジョンを効果的に回避することができる。
【０１０９】
更に、送信待ちデータは送信装置の識別情報を含む。このように、受信装置側では、異なるインターリーバを用いて異なる送信装置のデータを識別することができ、対応するデインターリービング処理が実行される。データ伝送プロセス中にコリジョンが発生する可能性が低減される。
【０１１０】
任意に、ガード時間インターバルの後に、受信される次の送信待ちデータに対して受信装置がデインターリービング処理を実行できるように、送信待ちデータは更にガード時間インターバルを含み、次のフレームに対する干渉が回避される。
【０１１１】
本発明の実施形態は、少なくとも１つのプロセッサ８１、メモリ８２、受信部８３およびバス８４を有する受信装置を提供する。少なくとも１つのプロセッサ８１と、メモリ８２と、受信部８３とは、バス８４を用いて互いに接続され通信する。メモリ８２は、プログラムコードを保存するように構成される。
【０１１２】
バス８４は、業界標準アーキテクチャ（Industry  Standard  Architecture、略してＩＳＡ）バス、ペリフェラル・コンポーネント・インターコネクト（Peripheral  Component、略してＰＣＩ）バス、ＥＩＳＡ（Extended  Industry  Standard  Architecture）バス等であってよい。バス８４は、アドレスバス、バス、制御バス等に分類されてよい。図８では表現しやすいように太線１本だけで描写されているが、１本のバスや１種類のバスだけが存在することを示すものではない。
【０１１３】
メモリ８２は、実行可能なプログラムコードを保存するように構成される。プログラムコードはコンピューター操作命令を含む。メモリ８２は、高速ＲＡＭメモリを含んでよく、或いは、更に不揮発性メモリ（non-volatile  memory）、例えば少なくとも１つの磁気ディスク記憶装置を含んでよい。
【０１１４】
プロセッサ８１は、中央処理装置（Central  Processing  Unit、略してＣＰＵ）であってよく、或いは特定用途向け集積回路（Application  Specific  Integrated  Circuit、略してＡＳＩＣ）であってよく、或いは、本発明の本実施形態を実施するように構成される１以上の集積回路であってよい。
【０１１５】
受信部８３は主に、本実施形態の送信装置と受信装置との通信を実現するように構成される。
【０１１６】
プロセッサ８１は更に、メモリ８２内のプログラムコードを呼び出して、以下の工程を実行するように構成される。
【０１１７】
受信部８３は、予め構成された時間周波数リソース上で、送信装置によって送信され時間同期コードを有する送信データを受信するように構成される。
【０１１８】
プロセッサ８１は、予め構成されたインターリーバ情報に従って、時間同期コードに対応するインターリーバを呼び出して、送信データをデインターリーブするように構成される。インターリーバ情報はインターリーバと時間同期コードとの対応関係を含み、時間同期コードとインターリーバとの間には１対１の対応関係がある。
【０１１９】
任意に、受信装置は更に、バス８４に接続される送信部８５を有する。送信部８５は、システムブロードキャストメッセージまたは専用シグナリング通知を用いて、送信装置に割り当てられた時間周波数リソースを送信装置に通知するように構成され、
システムブロードキャストメッセージまたは専用シグナリング通知を用いて、インターリーバ情報を送信装置に通知するように構成される。
【０１２０】
本発明の本実施形態において提供される受信装置では、送信装置によって送信され、インターリーバと１対１の対応関係にある時間同期コードを有する送信待ちデータが受信される。各データ伝送プロセスにおいて装置間のリンク同期を確立するために、最初に送信装置を用いてリソースをリクエストする必要がない。このように、承認のない方式でデータを送信するので、効果的にシグナリングオーバーヘッドを低減し、伝送効率を向上させ、時間遅延を低減する。
【０１２１】
更に、プロセッサ８１は更に、送信待ちデータが送信装置の識別情報を含むとき、送信装置の識別情報に従って、送信データに対応する送信装置を決定するように構成される。
【０１２２】
このように、受信装置側では、異なるインターリーバを用いて異なる送信装置のデータを識別することができ、対応するデインターリービング処理が実行される。データ伝送プロセス中にコリジョンが発生する可能性が低減される。
【０１２３】
更に、任意に、送信データが更にガード時間インターバルを含むとき、
プロセッサ８１は更に、ガード時間インターバルの後に、受信される次の送信データに対してデインターリービング処理を実行するように構成され、次のフレームに対する干渉が回避される。
【０１２４】
本発明の実施形態は、上記の方法実施形態で提供されたデータ伝送の方法を実現するように構成されるデータ伝送システム９を提供する。データ伝送システム９は、上記の実施形態で提供された受信装置９１および送信装置９２を備える。
【０１２５】
本発明の本実施形態において提供されるデータ伝送システムでは、送信待ちデータは、該データのために固定の時間同期コードと対応するインターリーバとを選択することによって、送信される。各データ伝送プロセスにおいて装置間のリンク同期を確立するために、最初にリソースをリクエストする必要がない。このように、承認のない方式でデータを送信するので、効果的にシグナリングオーバーヘッドを低減し、伝送効率を向上させ、時間遅延を低減する。加えて、送信待ちデータが送信装置の識別情報を含む場合、受信装置側では、異なるインターリーバを用いて異なる送信装置のデータを識別することができ、対応するデインターリービング処理が実行され、データ伝送プロセス中にコリジョンが発生する可能性が低減される。
【０１２６】
上記の説明は、本発明の具体的な実施方式に過ぎず、本発明の保護範囲を限定することを意図するものではない。当業者により本発明に開示された技術的範囲内で容易に想到される変形や置換は、どんなものであっても本発明の保護範囲に包含されるものとする。したがって、本発明の保護範囲は、特許請求の範囲の保護範囲に準拠するものとする。
【図１】
2016523050.tif 000005
【図２】
2016523050.tif 000006
【図３】
2016523050.tif 000007
【図４】
2016523050.tif 000008
【図５】
2016523050.tif 000009
【図６】
2016523050.tif 000010
【図７】
2016523050.tif 000011
【図８】
2016523050.tif 000012
【図９】
2016523050.tif 000013
【手続補正書】
【提出日】平成28年4月5日(2016.4.5)
【手続補正１】
【補正対象書類名】特許請求の範囲
【補正対象項目名】全文
【補正方法】変更
【補正の内容】
【特許請求の範囲】
【請求項１】
データ伝送の方法であって、
送信装置が、送信待ちデータによって使用される時間周波数リソースおよびインターリーバ情報を取得するステップであって、前記インターリーバ情報はインターリーバと時間同期コードとの対応関係を含み、時間同期コードとインターリーバとの間には１対１の対応関係がある、ステップと、
前記インターリーバ情報に従って、前記送信待ちデータのために時間同期コードおよびインターリーバを選択するステップと、
選択された前記インターリーバを用いて前記送信待ちデータにインターリービング処理を実行し、選択された前記時間同期コードを有するインターリーブされた前記送信待ちデータを、前記時間周波数リソース上で受信装置に送信するステップと、
を有する方法。
【請求項２】
送信装置が送信待ちデータによって使用される時間周波数リソースおよびインターリーバ情報を取得する前記ステップは、
前記送信装置が、システムブロードキャストメッセージまたは専用シグナリング通知を用いて、または事前設定に従って、前記送信待ちデータによって使用される前記時間周波数リソースを取得するステップと、
前記送信装置が、システムブロードキャストメッセージまたは専用シグナリング通知を用いて、または事前設定に従って、前記送信待ちデータによって使用される前記インターリーバ情報を取得するステップと、
を含む、請求項１に記載の方法。
【請求項３】
前記前記インターリーバ情報に従って前記送信待ちデータのために時間同期コードおよびインターリーバを選択する前記ステップは、
前記送信装置の識別情報および前記インターリーバ情報に従って、前記時間同期コードおよび前記インターリーバを選択するステップであって、前記送信装置の前記識別情報は、固有のインターリーバと固有の時間同期コードとに対応する、ステップ、
を含む、請求項１に記載の方法。
【請求項４】
前記送信待ちデータは、前記送信装置の前記識別情報を含む、
請求項３に記載の方法。
【請求項５】
前記識別情報は、前記送信装置のセル無線ネットワーク仮識別（Ｃ−ＲＮＴＩ）と、前記送信装置と前記受信装置が接続を確立する過程で取得されるメディアアクセス制御（ＭＡＣ）アドレスと、前記送信待ちデータの時間情報と、前記送信待ちデータによって使用される固定の時間周波数リソースの識別子とのうち１以上を含む、
請求項３または４に記載の方法。
【請求項６】
前記送信待ちデータは更にガード時間インターバルを含む、
請求項１乃至５のいずれか一項に記載の方法。
【請求項７】
データ伝送の方法であって、
受信装置が、事前設定された時間周波数リソース上で、送信装置によって送信され時間同期コードを有する送信データを受信するステップと、
事前設定されたインターリーバ情報に従って、前記時間同期コードに対応するインターリーバを呼び出して、前記送信データをデインターリーブするステップであって、前記インターリーバ情報はインターリーバと時間同期コードとの対応関係を含み、時間同期コードとインターリーバとの間には１対１の対応関係がある、ステップと、
を有する方法。
【請求項８】
受信装置が事前設定された時間周波数リソース上で、送信装置によって送信されインターリーブされ時間同期コードを有する送信データを受信する前記ステップの前に、当該方法は、
前記受信装置が、システムブロードキャストメッセージまたは専用シグナリング通知を用いて、前記送信装置に割り当てられた時間周波数リソースを前記送信装置に通知するステップと、
前記受信装置が、システムブロードキャストメッセージまたは専用シグナリング通知を用いて、前記インターリーバ情報を前記送信装置に通知するステップと、
を含む、請求項７に記載の方法。
【請求項９】
前記送信データが前記送信装置の識別情報を含むとき、前記送信装置の前記識別情報は、固有のインターリーバと固有の時間同期コードとに対応し、
前記事前設定されたインターリーバ情報に従って前記時間同期コードに対応するインターリーバを呼び出して前記送信データをデインターリーブする前記ステップの後、当該方法は更に、
前記受信装置が、前記送信装置の前記識別情報に従って、前記送信データに対応する前記送信装置を決定するステップ、
を有する、請求項７に記載の方法。
【請求項１０】
前記識別情報は、前記送信装置のセル無線ネットワーク仮識別（Ｃ−ＲＮＴＩ）と、前記送信装置と前記受信装置が接続を確立する過程で取得されるメディアアクセス制御（ＭＡＣ）アドレスと、前記送信データの時間情報と、前記送信データによって使用される固定の時間周波数リソースの識別子とのうち１以上を含む、
請求項９に記載の方法。
【請求項１１】
前記送信データが更にガード時間インターバルを含むとき、
前記ガード時間インターバルの後に、受信される次の送信データにデインターリービング処理を実行するステップ、
を更に有する、請求項７乃至１０のいずれか一項に記載の方法。
【請求項１２】
送信待ちデータによって使用される時間周波数リソースおよびインターリーバ情報を取得するように構成される取得ユニットであって、前記インターリーバ情報はインターリーバと時間同期コードとの対応関係を含み、時間同期コードとインターリーバとの間には１対１の対応関係がある、取得ユニットと、
前記取得ユニットによって取得された前記インターリーバ情報に従って、前記送信待ちデータのために時間同期コードおよびインターリーバを選択するように構成される設定ユニットと、
前記設定ユニットによって選択された前記インターリーバを用いて前記送信待ちデータにインターリービング処理を実行し、選択された前記時間同期コードを有するインターリーブされた前記送信待ちデータを、前記取得ユニットによって取得された前記時間周波数リソース上で受信装置に送信するように構成される送信ユニットと、
を備える送信装置。
【請求項１３】
前記取得ユニットは、
システムブロードキャストメッセージまたは専用シグナリング通知を用いて、または事前設定に従って、前記送信待ちデータによって使用される前記時間周波数リソースを取得するように構成され、
システムブロードキャストメッセージまたは専用シグナリング通知を用いて、または事前設定に従って、前記送信待ちデータによって使用される前記インターリーバ情報を取得するように構成される、
請求項１２に記載の送信装置。
【請求項１４】
前記設定ユニットは、前記送信装置の識別情報と前記取得ユニットによって取得された前記インターリーバ情報とに従って、前記時間同期コードおよび前記インターリーバを選択するように構成され、前記送信装置の前記識別情報は、固有のインターリーバと固有の時間同期コードとに対応する、
請求項１２に記載の送信装置。
【請求項１５】
前記送信待ちデータは、前記送信装置の前記識別情報を含む、
請求項１４に記載の送信装置。
【請求項１６】
前記送信装置の前記識別情報は、固有のインターリーバと固有の時間同期コードとに対応し、前記識別情報は、前記送信装置のセル無線ネットワーク仮識別（Ｃ−ＲＮＴＩ）と、前記送信装置と前記受信装置が接続を確立する過程で取得されるメディアアクセス制御（ＭＡＣ）アドレスと、前記送信待ちデータの時間情報と、前記送信待ちデータによって使用される固定の時間周波数リソースの識別子とのうち１以上を含む、
請求項１４または１５に記載の送信装置。
【請求項１７】
前記送信待ちデータは更にガード時間インターバルを含む、
請求項１２乃至１６のいずれか一項に記載の送信装置。
【請求項１８】
事前設定された時間周波数リソース上で、送信装置によって送信され時間同期コードを有する送信データを受信するように構成される受信ユニットと、
事前設定されたインターリーバ情報に従って、前記時間同期コードに対応するインターリーバを呼び出して、前記受信ユニットによって受信された前記送信データをデインターリーブするように構成されるデインターリービングユニットであって、前記インターリーバ情報はインターリーバと時間同期コードとの対応関係を含み、時間同期コードとインターリーバとの間には１対１の対応関係がある、デインターリービングユニットと、
を備える受信装置。
【請求項１９】
前記受信装置は更に送信ユニットを備え、前記送信ユニットは、
システムブロードキャストメッセージまたは専用シグナリング通知を用いて、前記送信装置に割り当てられた時間周波数リソースを前記送信装置に通知するように構成され、
システムブロードキャストメッセージまたは専用シグナリング通知を用いて、前記インターリーバ情報を前記送信装置に通知するように構成される、
請求項１８に記載の受信装置。
【請求項２０】
前記受信装置は更に識別ユニットを備え、前記識別ユニットは、
前記送信データが前記送信装置の識別情報を含むとき、前記送信装置の前記識別情報に従って、前記送信データに対応する前記送信装置を決定するように構成される、
請求項１８に記載の受信装置。
【請求項２１】
前記送信データが更にガード時間インターバルを含むとき、
前記デインターリービングユニットは更に、前記ガード時間インターバルの後に、受信される次の送信データにデインターリービング処理を実行するように構成される、
請求項１８乃至２０のいずれか一項に記載の受信装置。
【請求項２２】
少なくとも１つのプロセッサ、メモリ、送信部およびバスを備える送信装置であって、前記少なくとも１つのプロセッサと、メモリと、送信部とは、前記バスを用いて互いに接続され通信し、前記メモリは、プログラムコードを保存するように構成され、
前記プロセッサは、送信待ちデータによって使用される時間周波数リソースおよびインターリーバ情報を取得するように構成され、前記インターリーバ情報はインターリーバと時間同期コードとの対応関係を含み、時間同期コードとインターリーバとの間には１対１の対応関係があり、
前記プロセッサは、前記インターリーバ情報に従って、前記送信待ちデータのために時間同期コードおよびインターリーバを選択するように構成され、
前記プロセッサは、選択された前記インターリーバを用いて前記送信待ちデータにインターリービング処理を実行し、前記送信部を用いて、選択された前記時間同期コードを有するインターリーブされた前記送信待ちデータを、前記時間周波数リソース上で受信装置に送信するように構成される、
送信装置。
【請求項２３】
前記送信装置は更に、前記バスに接続される受信部を備え、前記プロセッサは、
前記受信部によって受信されるシステムブロードキャストメッセージまたは前記受信部によって受信される専用シグナリング通知を用いて、または事前設定に従って、前記送信待ちデータによって使用される前記時間周波数リソースを前記プロセッサに通知するように構成され、
前記受信部によって受信されるシステムブロードキャストメッセージまたは前記受信部によって受信される専用シグナリング通知を用いて、または事前設定に従って、前記送信待ちデータによって使用される前記インターリーバ情報を前記プロセッサに通知するように構成される、
請求項２２に記載の送信装置。
【請求項２４】
前記プロセッサは、前記送信装置の識別情報および前記インターリーバ情報に従って、前記時間同期コードおよび前記インターリーバを選択するように構成され、前記送信装置の前記識別情報は、固有のインターリーバと固有の時間同期コードとに対応する、
請求項２２に記載の送信装置。
【請求項２５】
前記送信待ちデータは、前記送信装置の前記識別情報を含む、
請求項２４に記載の送信装置。
【請求項２６】
前記送信装置の前記識別情報は、固有のインターリーバと固有の時間同期コードとに対応し、前記識別情報は、前記送信装置のセル無線ネットワーク仮識別（Ｃ−ＲＮＴＩ）と、前記送信装置と前記受信装置が接続を確立する過程で取得されるメディアアクセス制御（ＭＡＣ）アドレスと、前記送信待ちデータの時間情報と、前記送信待ちデータによって使用される固定の時間周波数リソースの識別子とのうち１以上を含む、
請求項２４または２５に記載の送信装置。
【請求項２７】
前記送信待ちデータは更にガード時間インターバルを含む、
請求項２２乃至２６のいずれか一項に記載の送信装置。
【請求項２８】
少なくとも１つのプロセッサ、メモリ、受信部およびバスを備える受信装置であって、前記少なくとも１つのプロセッサと、メモリと、受信部とは、前記バスを用いて互いに接続され通信し、前記メモリはプログラムコードを保存するように構成され、
前記受信部は、事前設定された時間周波数リソース上で、送信装置によって送信され時間同期コードを有する送信データを受信するように構成され、
前記プロセッサは、事前設定されたインターリーバ情報に従って、前記時間同期コードに対応するインターリーバを呼び出して、前記送信データをデインターリーブするように構成され、前記インターリーバ情報はインターリーバと時間同期コードとの対応関係を含み、時間同期コードとインターリーバとの間には１対１の対応関係がある、
受信装置。
【請求項２９】
前記受信装置は更に、前記バスに接続される送信部を備え、前記送信部は、
システムブロードキャストメッセージまたは専用シグナリング通知を用いて、前記送信装置に割り当てられた時間周波数リソースを前記送信装置に通知するように構成され、
システムブロードキャストメッセージまたは専用シグナリング通知を用いて、前記インターリーバ情報を前記送信装置に通知するように構成される、
請求項２８に記載の受信装置。
【請求項３０】
前記プロセッサは更に、前記送信データが前記送信装置の識別情報を含むとき、前記送信装置の前記識別情報に従って、前記送信データに対応する前記送信装置を決定するように構成される、
請求項２８に記載の受信装置。
【請求項３１】
前記送信データが更にガード時間インターバルを含むとき、
前記プロセッサは更に、前記ガード時間インターバルの後に、受信される次の送信データにデインターリービング処理を実行するように構成される、
請求項２８乃至３０のいずれか一項に記載の受信装置。
【請求項３２】
請求項１２乃至１７のいずれか一項に記載の送信装置と請求項１８乃至２１のいずれか一項に記載の受信装置とを備えるか、または、
請求項２２乃至２７のいずれか一項に記載の送信装置と請求項２８乃至３１のいずれか一項の受信装置とを備える、
データ伝送システム。
【国際調査報告】
2016523050.tif 000014
2016523050.tif 000015
2016523050.tif 000016
2016523050.tif 000017